【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
使い捨ておむつであって、
前側ウエスト領域、後側ウエスト領域、及び前記ウエスト領域間の股領域、長手方向軸及び横方向軸、横方向に対向する側縁部、長手方向に対向する前側及び後側ウエスト終縁部、内面及び外面を有するシャーシであって、
前記シャーシが不透水性バックシートを包含し、
前記シャーシがまた、少なくとも前記股領域の中に、前記シャーシの横方向内側に折り畳まれた部分により形成された横方向に対向するサイドフラップを包含し、各サイドフラップは、長手方向遠位端および近位縁を有し、各サイドフラップが、前記長手方向遠位端に隣接した前記内面に取り付けられており、かつ前記近位縁に隣接して取り付けられた長手方向に伸びる弾性ギャザー部材を有し、
前記シャーシがまた、前記ウエスト領域のうち少なくとも１つの中の前記サイドフラップの一部分により形成された横方向に対向する展開可能なシャーシイアを包含し、各シャーシイアは、前記シャーシが取り付け用折れ線のところで切り離され及び前記それぞれのサイドフラップを超えて横方向外側に突き出すシャーシイアを形成するように前記サイドフラップの一部分の全体が横方向外側に広げられることにより展開されるまで、前記取り付け用折れ線によって横方向内側に折り畳まれて保持されている、シャーシと、
前記シャーシの前記内面に取り付けられた吸収アセンブリと、を備え、
前記吸収アセンブリが、横方向に伸びる部分を横切る長手方向に伸びる部分を有する取り付け用十字形パターンにおいて、前記シャーシに取り付けられ、
前記吸収アセンブリの下にありかつ前記十字形パターンの外側に位置する前記シャーシの一部分が横方向に伸長可能であり、
前記シャーシの前記伸長可能な部分は形成ウェブ材料を含み、前記形成ウェブ材料は、各々エンボス加工により作り出され、ほぼ長手方向を向く交互の隆起部分及び谷部分のパターンを含有する少なくとも２つの別個の横方向に伸びるエンボス領域を包含し、並びに前記形成ウェブ材料は、前記エンボス領域の間に位置する非エンボス領域をまた含有し、その結果、前記シャーシの前記部分が所与の程度まで、前記エンボス加工前に前記シャーシの同じ部分を同じ所与の程度まで横方向に伸長するために必要とされるものより相対的に小さい力の適用により、横方向に伸長され得る、使い捨ておむつ。
【請求項２】
前記シャーシが前記ウエスト領域の両方の中に前記シャーシイアを包含する、請求項１に記載の使い捨ておむつ。
【請求項３】
前記シャーシが、前記シャーシイアの少なくとも２つの上に配置され、かつ着用者のウエスト及び脚を取り囲むように前記前側ウエスト領域を前記後側ウエスト領域に締結するために適合された締結要素を包含する、請求項１に記載の使い捨ておむつ。
【請求項４】
前記締結要素が接着テープを含む、請求項３に記載の使い捨ておむつ。
【請求項５】
前記シャーシが、前記バックシートに取り付けられ、かつ前記内面の一部分を形成する不織布内部ライナーを包含する、請求項１に記載の使い捨ておむつ。
【請求項６】
前記バックシートが、フィルム及び不織布の積層体であり、前記不織布が前記フィルムの外側に配置されている、請求項１に記載の使い捨ておむつ。
【請求項７】
前記締結要素が前記バックシート不織布と係合するように適合されたフックを含む、請求項６に記載の使い捨ておむつ。
【請求項８】
前記長手方向に伸びる部分が前記長手方向軸に対して対称的に配置され、及び前記横方向に伸びる部分が前記横方向軸に対して非対称的に配置される、請求項１に記載の使い捨ておむつ。
【請求項９】
前記横方向に伸びる部分が前記前側ウエスト領域に向かって長手方向にオフセットされている、請求項８に記載の使い捨ておむつ。
【請求項１０】
前記取り付け用折れ線がミシン目を含む、請求項１に記載の使い捨ておむつ。
【請求項１１】
使い捨ておむつであって、
前側ウエスト領域、後側ウエスト領域、及び前記ウエスト領域間の股領域、長手方向軸及び横方向軸、横方向に対向する側縁部、長手方向に対向する前側及び後側ウエスト終縁部、内面及び外面を有するシャーシであって、
前記シャーシが、不透水性バックシートを包含し、
前記バックシートは、少なくとも前記股領域の中に、前記バックシートの横方向内側に折り畳まれた部分により形成された横方向に対向するサイドフラップを包含し、各サイドフラップは、長手方向遠位端および近位縁を有し、
前記バックシートはまた、前記ウエスト領域のうち少なくとも１つの中の前記サイドフラップの一部分により形成された横方向に対向する展開可能な第１および第２のイアと、前記第１および第２のイアの上に配置され、かつ着用者のウエスト及び脚を取り囲むように前記前側ウエスト領域を前記後側ウエスト領域に締結するために適合された締結要素とを包含し、前記第１および第２のイアは、取り外し可能な取り付け部材のところで取り外され及び前記それぞれのサイドフラップを超えて横方向外側に突き出すシャーシイアを形成するように前記サイドフラップの一部分の全体が横方向外側に広げられることにより展開されるまで、前記取り外し可能な取り付け部材によって横方向内側に折り畳まれて保持されている、シャーシと、
前記シャーシの前記内面に取り付けられた吸収アセンブリと、を備え、
前記吸収アセンブリが、横方向に伸びる部分を横切る長手方向に伸びる部分を有する取り付け用十字形パターンにおいて、前記シャーシに取り付けられ、
前記吸収アセンブリの下にありかつ前記十字形パターンの外側に位置する前記シャーシの一部分が横方向に伸長可能であり、
前記シャーシの前記伸長可能な部分は形成ウェブ材料を含み、前記形成ウェブ材料は、各々エンボス加工により作り出され、ほぼ長手方向を向く交互の隆起部分及び谷部分のパターンを含有する少なくとも２つの別個の横方向に伸びるエンボス領域を包含し、並びに前記形成ウェブ材料は、前記エンボス領域の間に位置する非エンボス領域をまた含有し、その結果、前記シャーシの前記部分が所与の程度まで、前記エンボス加工前に前記シャーシの同じ部分を同じ所与の程度まで横方向に伸長するために必要とされるものより相対的に小さい力の適用により、横方向に伸長され得る、使い捨ておむつ。
【請求項１２】
前記取り外し可能な取り付け部材が接着剤を含む、請求項１１に記載の使い捨ておむつ。
【請求項１３】
前記取り外し可能な取り付け部材が、前記シャーシイアの上及び前記横方向内側に折り畳まれたシャーシイアの下にある前記内面の上に配置された相補的な取り外し可能な取り付け要素を含む、請求項１１に記載の使い捨ておむつ。
【請求項１４】
前記シャーシが前記ウエスト領域の両方の中に前記シャーシイアを包含する、請求項１１に記載の使い捨ておむつ。
【請求項１５】
使い捨ておむつであって、
前側ウエスト領域、後側ウエスト領域、及び前記ウエスト領域間の股領域、長手方向軸及び横方向軸、横方向に対向する側縁部、長手方向に対向する前側及び後側ウエスト終縁部、内面及び外面を有するシャーシであって、
前記シャーシが、不透水性バックシートと、前記バックシートに取り付けられ及び前記内面の一部分を形成する不織布内部ライナーとを包含し、
前記シャーシがまた、少なくとも前記股領域の中に、前記シャーシの横方向内側に折り畳まれた部分により形成された横方向に対向するサイドフラップを包含し、各サイドフラップは、長手方向遠位端および近位縁を有し、各サイドフラップが、前記長手方向遠位端に隣接した前記内面に取り付けられており、かつ前記近位縁に隣接して取り付けられた長手方向に伸びる弾性ギャザー部材を有し、
前記シャーシがまた、前記ウエスト領域のうち各々の中の前記サイドフラップの一部分により形成された横方向に対向する展開可能なシャーシイアと、前記シャーシイアのうち少なくとも２つの上に配置されている締結要素とを包含し、前記締結要素が、接着テープを含み並びに着用者のウエスト及び脚を取り囲むように前記前側ウエスト領域を前記後側ウエスト領域に締結するために適合されており、各シャーシイアは、前記シャーシが取り付け用折れ線のところで切り離され及び前記それぞれのサイドフラップを超えて横方向外側に突き出すシャーシイアを形成するように前記サイドフラップの一部分の全体が横方向外側に広げられることにより展開されるまで、前記取り付け用折れ線によって横方向内側に折り畳まれて保持されている、シャーシと、
前記シャーシの前記内面に取り付けられた吸収アセンブリと、を備え、
前記吸収アセンブリが、横方向に伸びる部分を横切る長手方向に伸びる部分を有する取り付け用十字形パターンにおいて、前記シャーシに取り付けられ、
前記吸収アセンブリの下にありかつ前記十字形パターンの外側に位置する前記シャーシの一部分が横方向に伸長可能であり、
前記シャーシの前記伸長可能な部分は形成ウェブ材料を含み、前記形成ウェブ材料は、各々エンボス加工により作り出され、ほぼ長手方向を向く交互の隆起部分及び谷部分のパターンを含有する少なくとも２つの別個の横方向に伸びるエンボス領域を包含し、並びに前記形成ウェブ材料は、前記エンボス領域の間に位置する非エンボス領域をまた含有し、その結果、前記シャーシの前記部分が所与の程度まで、前記エンボス加工前に前記シャーシの同じ部分を同じ所与の程度まで横方向に伸長するために必要とされるものより相対的に小さい力の適用により、横方向に伸長され得る、使い捨ておむつ。